(57)【要約】【課題】芳香剤の吸上げ部材を用いる芳香器において、使用開始段階の香りを穏やかにし、使用段階では芳香剤の揮散量の経時的減量を回避すること。【解決手段】芳香器１０であって、芳香剤を収容する容器１１と、容器１１内の芳香剤に一端側を浸漬し、他端側を揮散領域２０の側に立上げられる吸上げ部材１５と、容器１１内の芳香剤上に浮くように配置されるとともに、吸上げ部材１５の周囲を揮散領域に対して遮蔽する遮蔽部１７を備えるフロート１６と、フロート１６に作用する浮力に抗して該フロート１６を容器１１内の芳香剤中に押し込み状態にする押し込み手段（押し込み部１３Ｈ）とを有するもの【選択図】  図２
2004267472.tif 000002
【特許請求の範囲】
【請求項１】
芳香剤を収容する容器と、
容器内の芳香剤に一端側を浸漬し、他端側を揮散領域の側に立上げられる吸上げ部材と、
容器内の芳香剤上に浮くように配置されるとともに、吸上げ部材の周囲を揮散領域に対して遮蔽する遮蔽部を備えるフロートと、
フロートに作用する浮力に抗して該フロートを容器内の芳香剤中に押し込み状態にする押し込み手段とを有する芳香器。
【請求項２】
前記容器の開口部に設けられ、フロートの遮蔽部を遊挿可能にする蓋を有し、
該蓋が前記押し込み手段を構成する請求項１に記載の芳香器。
【請求項３】
前記吸上げ部材を使用開始前段階で揮散領域に対して封止する封止部材を有する請求項１又は２に記載の芳香器。
【請求項４】
前記吸上げ部材に対する揮散領域の側に設けられ、吸上げ部材が接触する揮散部材を有する請求項１〜３のいずれかに記載の芳香器。
【発明の詳細な説明】
【０００１】
【発明の属する技術分野】
本発明は芳香器に関する。
【０００２】
【従来の技術】
特許文献１に記載の如く、芳香器として、容器内の芳香剤に吸上げ部材の一端側を浸漬し、容器外の他端側を揮散領域の側に立上げ、吸上げ部材に浸透した容器内の芳香剤を揮散領域にて揮散するものがある。
【０００３】
【特許文献１】
特開平９−１８７４９５（２頁、図４）
【０００４】
【発明が解決しようとする課題】
▲１▼特許文献１では、芳香器の生産段階から容器内の芳香剤に吸上げ部材を浸漬しており、吸上げ部材には大量の芳香剤が浸透蓄積される。しかも、使用開始段階から、吸上げ部材の広い面が揮散領域に開放されていて、大量の芳香成分が一度に揮散し、香りを過度に強くする。使用開始当初から穏やかな香りが望まれる。
【０００５】
▲２▼特許文献１では、芳香器の使用段階で、容器内の芳香剤が吸上げ部材に吸上げられて揮散し続ける間に、吸上げ部材の揮散領域に臨む広い面に芳香剤のうちで揮散しにくい成分がつまり、吸上げ部材の吸上げ能力を経時的に低下する。これにより、吸上げ部材から揮散領域への芳香剤の揮散量が経時的に減じ、香りが次第に弱くなる。
【０００６】
本発明の課題は、芳香剤の吸上げ部材を用いる芳香器において、使用開始段階の香りを穏やかにし、使用段階では芳香剤の揮散量の経時的減量を回避することにある。
【０００７】
【課題を解決するための手段】
請求項１の発明は、芳香剤を収容する容器と、容器内の芳香剤に一端側を浸漬し、他端側を揮散領域の側に立上げられる吸上げ部材と、容器内の芳香剤上に浮くように配置されるとともに、吸上げ部材の周囲を揮散領域に対して遮蔽する遮蔽部を備えるフロートと、フロートに作用する浮力に抗して該フロートを容器内の芳香剤中に押し込み状態にする押し込み手段とを有する芳香器である。
【０００８】
【発明の実施の形態】
芳香器１０は、使用開始前段階（物流段階）で、図１に示す如く、容器１１と、蓋１２（下キャップ１３、上キャップ１４）と、吸上げ部材１５と、遮蔽部１７を備えるフロート１６と、封止部材１８と、揮散部材１９を有して構成される。
【０００９】
容器１１は、液状芳香剤Ｌを収容する。容器１１は開口部１１Ａの外周に蓋１２のためのねじ部１１Ｂを備え、底面には吸上げ部材１５を立設支持するための挿入凹部１１Ｃを備える。
【００１０】
蓋１２は、容器１１の開口部１１Ａ（ねじ部１１Ｂ）に螺着される下キャップ１３と、下キャップ１３に係着される上キャップ１４の結合体からなる。
【００１１】
下キャップ１３は、容器１１のねじ部１１Ｂに液密に螺着されるねじ部１３Ａと、外周筒部１３Ｂと内周筒部１３Ｃを備える。下キャップ１３の外周筒部１３Ｂは、下キャップ１３の天面の外周側から上方に突出し、上キャップ１４が係止し得る上係止部１３Ｄを備える。尚、外周筒部１３Ｂには、上係止部１３Ｄよりも封止部材１８の天面の厚みｔだけ下段に設けられ、芳香器１０の使用段階で上キャップ１４が係止し得る下係止部１３Ｅも備える。上係止部１３Ｄと下係止部１３Ｅは、本実施形態では孔状をなす。下キャップ１３の内周筒部１３Ｃは、下キャップ１３の天面の中心孔１３Ｆの周囲から上下に突出し、中心孔１３Ｆに吸上げ部材１５、及びフロート１６の遮蔽部１７を遊挿可能にするとともに、内周筒部１３Ｃの上側突出部に封止部材１８が螺着し得るねじ部１３Ｇを備え、内周筒部１３Ｃの下側突出部をフロート１６に対する押し込み部１３Ｈとする。下キャップ１３は、内周筒部１３Ｃの下側突出部を押し込み部１３Ｈとするものに限らず、天面の下面から下方に突出するように設けた部分をフロート１６に対する押し込み部１３Ｈとしても良い。
【００１２】
上キャップ１４は、揮散領域２０を囲む、例えばドーム状をなし、下キャップ１３の上係止部１３Ｄと下係止部１３Ｅに選択的に係止し得る突状係止部１４Ａを備えるとともに、揮散領域２０を外方空間に連通する複数の通気口１４Ｂを備える。上キャップ１４の天面内側部には、揮散部材１９を係合保持する突状保持部１４Ｃを備える。揮散部材１９は上キャップ１４の天面内側部の揮散部材保持領域内で上下方向に自由に移動できるガタを有するものでも良い。
【００１３】
吸上げ部材１５は、棒状のフェルト芯、焼結金属棒等からなり、下キャップ１３の中心孔１３Ｆから容器１１内に挿入されてその一端部を容器１１の挿入凹部１１Ｃに挿入支持される。吸上げ部材１５は、容器１１内の芳香剤に一端側を浸漬し、他端側を容器１１の外の上キャップ１４で囲まれる揮散領域２０の側に立上げられる。
【００１４】
フロート１６は、吸上げ部材１５の周囲に遊挿され、上下動自在となるように配置され、容器１１への組入れ状態では、芳香剤の上に浮くように設けられる。フロート１６は中空体からなる。
【００１５】
フロート１６は、芳香器１０の使用開始段階で、下キャップ１３の内周筒部１３Ｃの押し込み部１３Ｈにより、該フロート１６に作用する浮力ｆ０に抗して容器１１内の芳香剤中に押し込み状態にされる。即ち、フロート１６は、該フロート１６及び遮蔽部１７に作用する重力とつり合う浮力ｆ０を生ずる深さを越えて芳香剤の中に押し込まれ、浮力ｆ０より大きな浮力ｆ１を受け、この浮力ｆ１による上方への浮上を下キャップ１３の押し込み部１３Ｈにより制止される。
【００１６】
フロート１６において、吸上げ部材１５が遊挿される部分の周囲には筒状の遮蔽部１７が設けられる。遮蔽部１７は、吸上げ部材１５の周囲に遊挿される。遮蔽部１７は、フロート１６とともに上下動自在となるように配置され、吸上げ部材１５の周囲を揮散領域２０に対して遮蔽する。
【００１７】
封止部材１８は、下キャップ１３の内周筒部１３Ｃのねじ部１３Ｇに取外し可能に、かつ液密に螺着され、芳香器１０の使用開始前段階で、吸上げ部材１５を揮散領域２０に対して封止する。本実施形態において、封止部材１８の天面は、芳香器１０の使用開始前段階で、容器１１に挿入された吸上げ部材１５の上端面に接し、厚みｔを有する。
【００１８】
揮散部材１９は、濾紙等からなる平板円盤状をなし、上キャップ１４の突状保持部１４Ｃに保持され、芳香器１０の使用段階で、封止部材１８が取外された吸上げ部材１５の上端面に接触する。これにより、吸上げ部材１５が吸上げた芳香剤は揮散部材１９に浸透する。揮散部材１９は吸上げ部材１５より大径とされ、吸上げ部材１５は揮散部材１９の中央部に接触する。
【００１９】
尚、本実施形態では、芳香器１０の使用開始段階で、フロート１６の遮蔽部１７が吸上げ部材１５の全長を遮蔽するものとしてあるが、遮蔽部１７は吸上げ部材１５の上端面の側の一部を使用当初から遮蔽せずに開放しても良い。
【００２０】
芳香器１０の使用手順は以下の如くになる。
（１）図１の容器１１から上キャップ１４を取外し。上キャップ１４の突状係止部１４Ａを下キャップ１３の上係止部１３Ｄから取外すものになる。
【００２１】
（２）下キャップ１３から封止部材１８を取外す。
（３）上キャップ１４を再び容器１１に取付ける。このとき、上キャップ１４の突状係止部１４Ａを下キャップ１３の下係止部１３Ｅに係止し、上キャップ１４が保持している揮散部材１９を吸上げ部材１５の上端面に接触させる。
【００２２】
尚、下キャップ１３において、上係止部１３Ｄと別に下係止部１３Ｅを備えない場合には、上述（３）で、上キャップ１４の突状係止部１４Ａは下キャップ１３の係止部１３Ｄに係止する。このとき、揮散部材１９は上キャップ１４の揮散部材保持領域内で上下方向に自由に移動し、吸上げ部材１５の上端面に接触する。
【００２３】
（４）以上により、芳香器１０は、吸上げ部材１５が吸上げる容器１１内の芳香剤を、揮散部材１９から揮散領域２０に揮散し、ひいては上キャップ１４の通気口１４Ｂから外部空間に放散する。尚、芳香器１０の使用当初から、フロート１６の遮蔽部１７が吸い上げ部材１５の上端面の側の一部を開放している場合には、芳香器１０は、吸上げ部材１５が吸上げる容器１１内の芳香剤を、吸上げ部材１５の外表面において、揮散領域２０に対して開放している当初開放面、及び揮散部材１９から揮散領域２０に揮散し、ひいては上キャップ１４の通気口１４Ｂから外部空間に放散する。
【００２４】
本実施形態によれば以下の作用効果がある。
（請求項１に対応する作用効果）
▲１▼芳香器１０の使用開始段階で、蓋１２を構成する下キャップ１３の押し込み部１３Ｈがフロート１６に作用する浮力に抗してフロート１６を容器１１内の芳香剤中に押し込み状態にした。従って、フロート１６は遮蔽部１７とフロート１６に作用する重力とつり合う浮力ｆ０を生ずる深さを越えて芳香剤の中に押し込まれ、上記浮力ｆ０より大きな浮力ｆ１を受け、この浮力ｆ１による上方への浮上を下キャップ１３により制止される。これにより、芳香器１０の使用当初、容器１１内の芳香剤が吸上げ部材１５に吸上げ消費されて一定レベル、換言すれば上記浮力ｆ１が上記浮力ｆ０に一致することとなる液面レベルに低下するまで、フロート１６及び遮蔽部１７の下降を開始しない。従って、芳香器１０の使用開始段階で、揮散領域２０に開放される当初揮散面Ｈ０は、揮散部材１９だけの表面（芳香器１０の使用当初から、フロート１６の遮蔽部１７が吸上げ部材１５の上端面の側の一部を開放している場合には、当初揮散面Ｈ０は、この吸上げ部材１５の一部開放面と揮散部材１９の表面の合計分になる）になる。これにより、使用開始当初の香りが過度に強くならず、穏かな香りとすることができる。
【００２５】
▲２▼揮散部材１９は、吸上げ部材１５より大径で広い表面からなり、芳香剤のうちの揮散しにくい成分のつまりによって芳香剤の揮散流量を減ずるに至るまでの有効利用可能期間が本来的に長い。芳香器１０の使用開始段階では、フロート１６及び遮蔽部１７の下降開始を上述▲１▼により遅延する結果、この有効利用可能期間が本来的に長い揮散部材１９の揮散面を当初揮散面Ｈ０として長く用いるものになり、吸上げ部材１５及び揮散部材１９の有効利用を図ることができる。
【００２６】
▲３▼芳香器１０の使用経過により、容器１１内の芳香剤が減少するにつれて、フロート１６及び遮蔽部１７が下降し、遮蔽部１７による吸上げ部材１５の遮蔽面積を減じ、吸上げ部材１５の揮散領域２０に開放される揮散面を当初揮散面Ｈ０に新規揮散面Ｈ１、Ｈ２…を加える如くに増す。吸上げ部材１５の揮散領域２０に対する既揮散面、例えばＨ０では芳香剤のうちの揮散しにくい成分のつまりによって芳香剤の揮散流量を減ずることになるものの、新たなつまりのない新規揮散面Ｈ１、Ｈ２…の開放によって芳香剤の揮散流量を補填する。これにより、吸上げ部材１５のつまりによる吸上げ部材１５から揮散領域２０への芳香剤の揮散量の経時的な減量を回避する。
【００２７】
▲４▼上述▲３▼の芳香剤の揮散流量の補填度合は、フロート１６及び遮蔽部１７の下降速度に支配される。容器１１の横断面積が下端寄りで漸増するものにあっては、フロート１６の下降速度が漸減するから、新規揮散面Ｈ１、Ｈ２…の開放速度は経時的に低く、芳香剤の揮散流量の補填度合は経時的に低く、芳香剤の揮散流量を経時的に減量傾向にする。容器１１の横断面積が下端寄りで漸減するものにあっては、フロート１６の下降速度が漸増するから、新規揮散面Ｈ１、Ｈ２…の開放速度は経時的に高く、芳香剤の揮散流量の補填度合は経時的に高く、芳香剤の揮散流量を経時的に増量傾向にする。従って、容器１１の断面形状の選択により、芳香剤の揮散流量の所望とする増減傾向を実現できる。
【００２８】
（請求項２に対応する作用効果）
▲５▼蓋１２を構成する下キャップ１３に、フロート１６の押し込み手段を構成する押し込み部１３Ｈを設けたから、芳香器１０の構成を簡素化できる。
【００２９】
（請求項３に対応する作用効果）
▲６▼吸上げ部材１５を使用開始前段階で封止する封止部材１８を設けたから、芳香器１０の物流段階で、吸上げ部材１５を容器１１に組込み済にしながら、吸上げ部材１５の新鮮な揮散性能を維持でき、芳香器１０の物流形態のコンパクトを図ることができる。使用者による芳香器１０の使用開始状態のためのセッティングも容易になる。
【００３０】
（請求項４に対応する作用効果）
▲７▼キャップ１２の揮散領域２０に位置する側に、吸上げ部材１５が接触する揮散部材１９を設けた。これにより、吸上げ部材１５を長くしなくても、吸上げ部材１５が吸上げた芳香剤の揮散面積を拡大することができ、芳香器１０のコンパクトを図ることができる。
【００３１】
▲８▼芳香器１０の使用開始前段階では、揮散部材１９は封止部材１８の介在により吸上げ部材１５から離隔され、芳香剤が浸透することがない。揮散部材１９は、使用開始段階で初めて吸上げ部材１５に接触して芳香剤を浸透可能にするから、使用開始当初の香りが強くならず、一層穏かな香りとすることができる。
【００３２】
【発明の効果】
本発明によれば、芳香剤の吸上げ部材を用いる芳香器において、使用開始段階の香りを穏やかにし、使用段階では芳香剤の揮散量の経時的減量を回避することができる。
【図面の簡単な説明】
【図１】図１は芳香器の使用開始前状態を示す模式図である。
【図２】図２は芳香器の使用開始状態を示す模式図である。
【図３】図３は芳香器の使用経過状態を示す模式図である。
【符号の説明】
１０  芳香器
１１  容器
１２  蓋
１３  下キャップ
１３Ｈ  押し込み部（押し込み手段）
１５  吸上げ部材
１６  フロート
１７  遮蔽部
１８  封止部材
１９  揮散部材
２０  揮散領域
【図１】
2004267472.tif 000003
【図２】
2004267472.tif 000004
【図３】
2004267472.tif 000005